(57)【要約】【課題】個人の外国為替市場への２４時間参加を可能にし、不測の損益が発生するリスクを軽減することができるようにする。【解決手段】この発明は、顧客の為替取引を支援する為替取引支援装置１において、為替取引業者側サーバ２から為替市場の為替レート情報Ｒを取り込み、時系列的に格納し記憶する為替レート情報格納手段１１と、売買ポイント生成プログラムＰを動作させて、為替レート情報Ｒに所定の情報処理を行い、為替の売買を行う最適タイミングである売買ポイントＰｔを生成する売買ポイント生成手段１２と、その売買ポイントＰｔが到来したとき、為替取引業者側サーバ２に売買を約定させる旨の情報を送信し自動的に売買を約定させる自動売買約定手段１４と、各プログラマーによる売買ポイント生成プログラムＰをＷｅｂ公開するプログラム公開手段１５と、支払い処理手段１６とを備えることを特徴としている。【選択図】図１
2009031826.tif 000002
【特許請求の範囲】
【請求項１】
顧客の為替取引を支援する為替取引支援装置において、
為替取引業者側サーバから為替市場の為替レート情報を取り込み、時系列的に格納し記憶する為替レート情報格納手段と、
売買ポイント生成プログラムを動作させて、上記為替レート情報格納手段に記憶されている為替レート情報の時間に対する変化を認識し、その変化に所定の特徴が見出された時点を為替の売買を行う最適タイミングであると判別し、その最適タイミングを売買ポイントとして生成する売買ポイント生成手段と、
上記売買ポイント生成手段で生成された売買ポイントを顧客の情報端末に配信し顧客に伝達する売買ポイント配信手段と、
上記売買ポイントが到来したとき、為替取引業者側サーバに売買を約定させる旨の情報を送信し自動的に売買を約定させる自動売買約定手段と、
各プログラマーにより作成され出品された売買ポイント生成プログラムをＷｅｂ公開して一覧に供するプログラム公開手段と、
上記公開された売買ポイント生成プログラムのうち、顧客が選択購入し使用するように指定してきたプログラムの作成者に代価の支払い処理を行う支払い処理手段と、を備え、
上記売買ポイント生成手段が動作させる売買ポイント生成プログラムは、上記支払い処理手段によって代価が支払われたプログラムである、
ことを特徴とする為替取引支援装置。
【請求項２】
上記売買ポイント配信手段は、売買ポイントの配信を電子メールで行う、請求項１に記載の為替取引支援装置。
【請求項３】
上記売買ポイント配信手段は、売買ポイントをＷｅｂページデータとしＷＷＷサーバを経由して配信する、請求項１に記載の為替取引支援装置。
【発明の詳細な説明】
【技術分野】
【０００１】
この発明は、顧客の為替取引を支援する為替取引支援装置に関するものである。
【背景技術】
【０００２】
近年、オンライン上でのトレードが普及し、それに伴って、特に個人投資家による外国為替への投資が活発に行われるようになってきている（例えば特許文献１参照）。
【特許文献１】特開２００２−２１５９０６号公報
【０００３】
ところで、株式等の「取引所売買」と異なり、外為市場は２４時間市場であり、システム上では２４時間いつでも取引が行えるようになっている。
【０００４】
しかし、個人は、睡眠、食事、仕事等のための時間を確保する必要があり、市場取引時間のすべてに参加するのは不可能である。このため、個人投資家は、その参加できない時間帯に不測の損益が発生するリスクにさらされている。
【発明の開示】
【発明が解決しようとする課題】
【０００５】
この発明は上記に鑑み提案されたもので、個人の外国為替市場への２４時間参加を可能にし、不測の損益が発生するリスクを軽減することができる為替取引支援装置を提供することを目的とする。
【課題を解決するための手段】
【０００６】
上記目的を達成するために、請求項１に記載の発明は、顧客の為替取引を支援する為替取引支援装置において、為替取引業者側サーバから為替市場の為替レート情報を取り込み、時系列的に格納し記憶する為替レート情報格納手段と、売買ポイント生成プログラムを動作させて、上記為替レート情報格納手段に記憶されている為替レート情報の時間に対する変化を認識し、その変化に所定の特徴が見出された時点を為替の売買を行う最適タイミングであると判別し、その最適タイミングを売買ポイントとして生成する売買ポイント生成手段と、上記売買ポイント生成手段で生成された売買ポイントを顧客の情報端末に配信し顧客に伝達する売買ポイント配信手段と、上記売買ポイントが到来したとき、為替取引業者側サーバに売買を約定させる旨の情報を送信し自動的に売買を約定させる自動売買約定手段と、各プログラマーにより作成され出品された売買ポイント生成プログラムをＷｅｂ公開して一覧に供するプログラム公開手段と、上記公開された売買ポイント生成プログラムのうち、顧客が選択購入し使用するように指定してきたプログラムの作成者に代価の支払い処理を行う支払い処理手段と、を備え、上記売買ポイント生成手段が動作させる売買ポイント生成プログラムは、上記支払い処理手段によって代価が支払われたプログラムである、ことを特徴としている。
【０００７】
請求項２に記載の発明は、上記した請求項１に記載の発明の構成において、上記売買ポイント配信手段を、売買ポイントの配信を電子メールで行うようにしたものである。
【０００８】
請求項３に記載の発明は、上記した請求項１に記載の発明の構成において、上記売買ポイント配信手段を、売買ポイントをＷｅｂページデータとしＷＷＷサーバを経由して配信するようにしたものである。
【発明の効果】
【０００９】
この発明では、為替の売買を行う最適タイミングである売買ポイントを生成し、その売買ポイントが到来したとき、自動的に売買を約定させるようにしたので、顧客は市場に２４時間張り付く必要が無くなり、睡眠・食事・仕事などと並行して２４時間売買が可能になる。したがって、個人の外国為替市場への２４時間参加を可能にし、不測の損益が発生するリスクを軽減することができる。
【００１０】
また、売買ポイントを生成し、その売買ポイントが到来したとき、顧客の情報端末に配信するようにしたので、顧客は、睡眠、食事、仕事等のための時間を確保した上で、外国為替市場への２４時間参加が可能になり、この点からも不測の損益が発生するリスクを軽減することができる。
【００１１】
また、各プログラマーが作成し出品した売買ポイント生成プログラムをＷｅｂ公開して一覧に供するようにしたので、一般プログラマーの作成意欲が増し、売買ポイント生成プログラムの品質も向上するようになる。また、顧客が試用して良好な結果が得られるとその売買ポイント生成プログラムを購入するようになるので、一般プログラマーの趣味を実益に変換することが可能になる。
【００１２】
その結果、一般プログラマーはより多く作成し応募するようになるので、自己増殖的に売買ポイント生成プログラムが増えていき、競争することで品質をより一層向上させることができる。
【発明を実施するための最良の形態】
【００１３】
以下にこの発明の実施形態を図面に基づいて詳細に説明する。
【００１４】
図１はこの発明の為替取引支援装置の構成を示すブロック図である。図１において、この発明の為替取引支援装置１は、顧客の為替取引を支援する装置であり、この為替取引支援装置１には、為替取引業者側サーバ２と、顧客側情報端末３とが所定の通信網（例えばインターネット）４を介して接続されている。
【００１５】
この為替取引支援装置１は、為替レート情報格納手段１１と、売買ポイント生成手段１２と、売買ポイント配信手段１３と、自動売買約定手段１４と、プログラム公開手段１５と、支払い処理手段１６とを備えている。なお、この各手段１１，１２，１３，１４，１５，１６は、ＣＰＵがＲＡＭのプログラムに従って実行するソフトウェアの機能として構成されている。そのうちで、プログラム公開手段１５は、為替取引支援装置１に構築された公開領域に設けられて、顧客が顧客側情報端末３および通信網４を介してアクセス可能となっており、それ以外の各手段１１，１２，１３，１４，１６は、為替取引支援装置１の非公開領域に設けられている。
【００１６】
為替レート情報格納手段１１は、為替取引業者側サーバ２から為替市場の為替レート情報Ｒを取り込み、時系列的に格納し記憶する。
【００１７】
売買ポイント生成手段１２は、売買ポイント生成プログラムＰを動作させて、為替レート情報格納手段１１から読み取った為替レート情報Ｒに所定の情報処理を行い、為替の売買を行う最適タイミングである売買ポイントＰｔを生成する。
【００１８】
例えば、売買ポイント生成手段１２は、時系列的に読み取った為替レート情報Ｒが、過去３ヶ月間で最も高くなる場合にそのタイミングを「売り」のポイントＰｔとして生成し、最も低くなる場合にそのタイミングを「買い」のポイントＰｔとして生成する。また、例えば時系列的に読み取った為替レート情報Ｒの時間に対する傾きが、右肩上がりから右肩下がりに転ずるタイミングを読み取ってそのタイミングを「売り」のポイントＰｔとして生成し、逆に右肩下がりから右肩上がりに転ずるタイミングを読み取ってそのタイミングを「買い」のポイントＰｔとして生成する。このように、売買ポイント生成手段１２は、売買ポイント生成プログラムを動作させて、為替レート情報格納手段１１に記憶されている為替レート情報の時間に対する変化を認識し、その変化に所定の特徴が見出された時点を為替の売買を行う最適タイミングであると判別し、その最適タイミングを売買ポイントＰｔとして生成する。
【００１９】
なお、詳細は後述するように、この売買ポイント生成プログラムＰは、顧客が多数のプログラム群の中からそれぞれ選択し指定したものであり、したがって、顧客の各々に対応して売買ポイントＰｔが生成される。
【００２０】
売買ポイント配信手段１３は、売買ポイント生成手段１２で生成された売買ポイントＰｔを顧客のパソコンや携帯電話等の顧客側情報端末３に配信し顧客に伝達する。
【００２１】
自動売買約定手段１４は、売買ポイント生成手段１２で生成された売買ポイントＰｔが到来したとき、為替取引業者側サーバ２に売買を約定させる旨の情報を送信し、売買ポイントＰｔが到来したその顧客の売買を自動的に約定させる。
【００２２】
上記のプログラム公開手段１５は、各プログラマーＡ，Ｂ，…が作成し出品した売買ポイント生成プログラムＰａ，Ｐｂ，…をＷｅｂ公開して一覧に供する。すなわち、各プログラマーＡ，Ｂ，…はそれぞれ作成した売買ポイント生成プログラムＰａ，Ｐｂ，…をアップロードして為替取引支援装置１のプログラム公開手段１５に送り、プログラム公開手段１５は、その売買ポイント生成プログラムＰａ，Ｐｂ，…をＷｅｂ公開して一覧に供する。
【００２３】
顧客は顧客側情報端末３および通信網４を介して為替取引支援装置１にアクセスし、為替取引支援装置１に構築されている公開手段１５から売買ポイント生成プログラムＰａ，Ｐｂ，…を顧客の情報端末３にダウンロードし、試用して良好な結果が得られるとその売買ポイント生成プログラムＰを選択し、為替取引支援装置１にその選択した売買ポイント生成プログラムＰを使用するように指定する。為替取引支援装置１では、その顧客から指定された売買ポイント生成プログラムＰを動作させて売買ポイントＰｔを生成する。したがって、為替取引支援装置１では、顧客がそれぞれ指定した売買ポイント生成プログラムＰが動作し、上記のように、顧客の各々に対応して売買ポイントＰｔが生成されることになる。
【００２４】
また、為替取引支援装置１は、支払い処理手段１６を用いて、公開された売買ポイント生成プログラムＰａ，Ｐｂ，…のうち、顧客が選択購入し使用するように指定してきたプログラムＰの作成者に代価の支払い処理を、例えばクレジットカードや電子マネーを利用した通信における課金システムを用いて行う。
【００２５】
上記のように、本発明では、顧客が多数の売買ポイント生成プログラムＰａ，Ｐｂ，…から、良好な結果が得られる売買ポイント生成プログラムＰを選択し指定するとともに、その際に、選択した売買ポイント生成プログラムＰの作成者に対して使用権として代価を支払い、為替取引支援装置１は、顧客からプログラム作成者への代価支払い（購入）を条件としてその売買ポイント生成プログラムＰを用いるようにしている。
【００２６】
このように、本発明では、為替の売買を行う最適タイミングである売買ポイントＰｔを生成し、その売買ポイントＰｔが到来したとき、売買ポイントＰｔが到来したその顧客の売買を自動的に約定させるようにしたので、顧客は取引市場に２４時間張り付く必要が無くなり、睡眠・食事・仕事などと並行して２４時間売買が可能になる。したがって、個人の外国為替市場への２４時間参加を可能にし、不測の損益が発生するリスクを軽減することができる。
【００２７】
また、売買ポイントＰｔを生成し、その売買ポイントＰｔが到来したとき、顧客側情報端末３に配信するようにしたので、顧客は、睡眠、食事、仕事等のための時間を確保した上で、外国為替市場への２４時間参加が可能になり、この点からも不測の損益が発生するリスクを軽減することができる。
【００２８】
また、各プログラマーＡ，Ｂ，…が作成し出品した売買ポイント生成プログラムＰａ，Ｐｂ，…をＷｅｂ公開して一覧に供するようにしたので、一般プログラマーの作成意欲が増し、売買ポイント生成プログラムの品質も向上するようになる。また、顧客が試用して良好な結果が得られるとその売買ポイント生成プログラムを購入するようになるので、一般プログラマーの趣味を実益に変換することが可能になる。
【００２９】
その結果、一般プログラマーはより多く作成し応募するようになるので、自己増殖的に売買ポイント生成プログラムが増えていき、競争することで品質をより一層向上させることができる。
【００３０】
なお、上記の説明では、為替取引支援装置１が売買ポイント配信手段１３と自動売買約定手段１４との双方を備えるように構成したが、売買ポイント配信手段１３と自動売買約定手段１４との何れか一方のみを備えるように構成してもよい。自動売買約定手段１４を備えず売買ポイント配信手段１３のみを備えるようにした場合は、顧客が売買ポイントＰｔの配信を受け取った時点で、自分自身で為替取引業者側サーバ２にアクセスし売買を約定させるようになる。
【００３１】
また、上記の説明では、売買ポイント生成プログラムＰは、顧客が指定したものを使用するようにしたが、当該為替取引支援装置１の管理人が、顧客に代わって最適な売買ポイント生成プログラムＰを指定し、それを使用するようにしてもよい。
【図面の簡単な説明】
【００３２】
【図１】この発明の為替取引支援装置の構成を示すブロック図である。
【符号の説明】
【００３３】
１    為替取引支援装置
２    為替取引業者側サーバ
３    顧客側情報端末
４    通信網
１１    為替レート情報格納手段
１２    売買ポイント生成手段
１３    売買ポイント配信手段
１４    自動売買約定手段
１５    プログラム公開手段
１６    支払い処理手段
Ｐ    売買ポイント生成プログラム
Ｐａ，Ｐｂ  売買ポイント生成プログラム
Ｐｔ    売買ポイント
Ｒ    為替レート情報
【図１】
2009031826.tif 000003